(57)【特許請求の範囲】
【請求項１】
電子機器の筐体内で浮遊状態に支持した記録再生部により振動を吸収して記録媒体の再生または記録のいずれか一方或いは両方のデータ処理を行う記録再生装置において、
前記筐体内で前記記録再生部を浮遊状態に支持するアウターシャーシと、
前記アウターシャーシに浮遊状態に支持して前記記録媒体をデータ処理するとともに、前記記録媒体の挿入または排出時に前記アウターシャーシに係合して浮遊状態をロックするロック部材を設けた記録再生部とを備え、
前記アウターシャーシに前記ロック部材が係合する係合部を備え、前記記録媒体の挿入または排出時に前記ロック部材と前記係合部とが弾性をもたせた状態で係合するとともに、
前記係合部は、所定の隙間を有して対向する一対の板バネからなり両端で重なり合うように近接する挟持部を備え、前記ロック部材を前記対向する隙間から両端の前記挟持部に回動させて挟持することで、前記板バネの付勢力により弾性をもたせた状態にロックすることを特徴とする記録再生装置。
【請求項２】
請求項１に記載の記録再生装置において、
前記係合部は、前記板バネが重なり合うように近接した前記挟持部の間に前記アウターシャーシから延在した曲げ部を更に介在させ、この曲げ部に当接する前記板バネの付勢力または材質を変えることで、前記ロック部材をロックする挟持力を調整するように設けたことを特徴とする記録再生装置。
【請求項３】
請求項１に記載の記録再生装置において、
前記係合部は、前記板バネの代わりに線バネまたはゴムのようにバネ性や弾性のある材質からなり前記ロック部材を係合することで、当該材質の付勢力であるバネ性や弾性をもたせた状態にロックすることを特徴とする記録再生装置。
【請求項４】
請求項１乃至３いずれかに記載の記録再生装置において、
前記付勢力は、初期荷重を振動時に加わる荷重以上に設定しており、且つ、落下時に加わる荷重より小さく設定することを特徴とする記録再生装置。
【請求項５】
請求項１に記載の記録再生装置において、
前記アウターシャーシには、前記記録再生部を浮遊状態に支持する場合、オイルダンパ、ゴムダンパ、コイルバネ、板バネいずれかの弾性体を介在させて浮遊状態に支持することを特徴とする記録再生装置。
【請求項６】
請求項１に記載の記録再生装置において、
前記筐体は携帯用、車載用などの内部振動を吸収可能に設けた電子機器の筐体であり、前記記録媒体はＣＤ、ＭＤ、ＤＶＤいずれかの光ディスクを有する光媒体であることを特徴とする記録再生装置。
【発明の詳細な説明】
【０００１】
【発明の属する技術分野】
本発明は、記録再生装置に関する。
【０００２】
【従来の技術】
従来、記録再生装置は、ＣＤ、ＭＤ、ＤＶＤなどの記録媒体の記録または再生いずれか一方或いは両方のデータ処理において、外部からの振動によって支障が生じないように記録媒体の記録再生部をダンパなどの弾性体により浮遊（フローティング）状態にしてデータ処理を行っている。また、この従来の記録再生装置は、記録媒体を挿入または排出する際に記録再生部の浮遊状態をロックして出し入れする軌道が安定するように設けている。図５は、このように記録再生部３０をロックまたは浮遊状態にする従来の記録再生装置の一実施形態を示す構成図である。また、図６は、図５に示したロック部材３２のロック動作を示す図であり、図６（ａ）はロックする前の状態を、図６（ｂ）はロックした後の状態を各々示している。
【０００３】
図５に示すように、従来の記録再生装置の一実施形態は、ＣＤをデータ処理する車載用の装置に採用したものであり、この装置の筐体（図示せず）内にＣＤ１を載置してデータ処理する記録再生部３０を設け、この記録再生部３０を浮遊状態に支持するアウターシャーシ４０を備えている。この記録再生部３０は、アウターシャーシ４０に浮遊状態に支持してＣＤ１をデータ処理するとともに、ＣＤ１の挿入または排出時にアウターシャーシ４０に係合して浮遊状態をロックするロック部材３２を設けている。このロック部材３２は、記録再生部３０に回動自在に支持されてアウターシャーシ４０の一側面に開口した係合部４２に挿入されて回動するように配置（図６参照）している。また、アウターシャーシ４０には、周囲四隅に弾性を有したコイルバネ４４ａと、更なる弾性を有したオイルダンパ４４ｂと、これらを固定する固定部材４４ｃとからなる弾性体４４を配置して記録再生部３０との間に介在させることで浮遊状態に支持している。そして、記録再生部３０は、ＣＤ１を挿入して載置した上部を抑える上シャーシ３４と、この上シャーシ３４の両側を摺動可能に支持して上下動させるプレート３６とを備えている。
【０００４】
このような従来の記録再生装置の一実施形態は、ＣＤ１のデータ処理を行う場合、図６（ａ）に示すように、ロック部材３２を内側に回動させて係合部４２内での上下動を可能にする。この際、係合部４２は、中央部が所定の幅で広く開口し、両端に狭くなる挟持部４２ａを備えている。従って、ロック部材３２は、ＣＤ１のデータ処理時に広く開口した係合部４２の中央部に回動させて記録再生部３０を弾性体４４による浮遊状態にすることで、走行する車両の車室内でも外部から加わる振動などの衝撃を吸収して良好なデータ処理を可能にする。
【０００５】
一方、従来の記録再生装置の一実施形態は、ＣＤ１のデータ処理時以外で挿入または排出した際、図６（ｂ）に示すように、ロック部材３２を外側に回動させて係合部４２の挟持部４２ａに係合するように移動させる。これによりロック部材３２は、係合部４２の挟持部４２ａに挟持され、弾性体４４による記録再生部３０の浮遊状態をロックする。従って、記録再生部３０は、アウターシャーシ４０に対して固定した状態になり、例えば、ＣＤ１排出・挿入時の軌道安定または出荷搬送時の固定を確実に行うことができる。
【０００６】
このように従来の記録再生装置の一実施形態は、電子機器筐体内の記録再生部３０をデータ処理時とそれ以外の時とでロック部材３２により選択的に浮動状態またはロック状態に切り替えることで、ＣＤ１を安全に出し入れしてデータ処理できるように形成していた。
【０００７】
【発明が解決しようとする課題】
しかしながら、従来の記録再生装置では、図６（ｂ）に示したように、挟持部４２ａにロック部材３２をロックした場合、このロック部材３２自体が衝撃に耐えうる強度を備えている必要があり、特に、電子機器筐体の薄型化によりロック部材３２の強度を充分に確保できないと、例えば、製造工程での搬送時、落下試験時などに大きな荷重が加わって破損、変形してしまい、浮動状態またはロック状態の切り替えが良好に実行できなくなるという不具合があった。
本発明はこのような課題を解決し、記録再生部の浮動状態を低コストで低い強度のロック部材でも確実にロックでき、装置全体の省スペース化（薄型化、小型化）が可能な記録再生装置を提供することを目的とする。
【０００８】
【課題を解決するための手段】
本発明は上述の課題を解決するために、電子機器の筐体内で浮遊状態に支持した記録再生部により振動を吸収して記録媒体の再生または記録のいずれか一方或いは両方のデータ処理を行う記録再生装置であって、筐体内で記録再生部を浮遊状態に支持するアウターシャーシと、このアウターシャーシに浮遊状態に支持して記録媒体をデータ処理するとともに記録媒体の挿入または排出時にアウターシャーシに係合して浮遊状態をロックするロック部材を設けた記録再生部とを備え、アウターシャーシにロック部材が係合する係合部を備えて記録媒体の挿入または排出時にロック部材と係合部とが弾性をもたせた状態で係合することで記録再生部をロックするように設けるとともに、係合部は所定の隙間を有して対向する一対の板バネからなり両端で重なり合うように近接する挟持部を備えてロック部材を対向する隙間から両端の挟持部に回動させて挟持することで板バネの付勢力により弾性をもたせた状態にロックする。
【０００９】
ここで、係合部は、板バネが重なり合うように近接した挟持部の間にアウターシャーシから延在した曲げ部を更に介在させ、この曲げ部に当接する板バネの付勢力または材質を変えることで、ロック部材をロックする挟持力を調整するように設けることが好ましい。また、係合部の他の実施例として、板バネの代わりに線バネまたはゴムのようにバネ性や弾性のある材質からなりロック部材を係合することで、当該材質の付勢力であるバネ性や弾性をもたせた状態にロックすることが好ましい。また、付勢力は、初期荷重を振動時に加わる荷重以上に設定しており、且つ、落下時に加わる荷重より小さく設定することが好ましい。また、アウターシャーシには、記録再生部を浮遊状態に支持する場合、オイルダンパ、ゴムダンパ、コイルバネ、板バネいずれかの弾性体を介在させて浮遊状態に支持することが好ましい。また、筐体は携帯用、車載用などの内部振動を吸収可能に設けた電子機器の筐体であり、記録媒体はＣＤ、ＭＤ、ＤＶＤいずれかの光ディスクを有する光媒体であることが好ましい。
【００１０】
【発明の実施の形態】
次に、添付図面を参照して本発明による記録再生装置の実施の形態を詳細に説明する。図１は、本発明による記録再生装置をＣＤ１のデータ処理を行う車載用の装置に採用した一実施形態を示す構成図である。また、図２は、図１に示した矢印Ａ方向から見た状態を示す図である。また、図３は、図２に示したＢ部を詳細に示す拡大図である。また、図４は、図１に示したロック部材１２のロック動作を示す図であり、図４（ａ）はロックする前の状態を、図４（ｂ）はロックした後の状態を各々示している。
【００１１】
図１に示すように、本発明による記録再生装置の一実施形態は、図５に示した従来技術と同様にＣＤをデータ処理する車載用の装置に採用したものであり、この装置の外装を形成する筐体（図示せず）内で記録再生部１０を浮遊状態に支持するアウターシャーシ２０と、このアウターシャーシ２０に浮遊状態に支持してＣＤ１をデータ処理するとともにＣＤ１の挿入または排出時にアウターシャーシに係合して浮遊状態をロックするロック部材１２を設けた記録再生部１０とを備えている。ここで、ロック部材１２は、記録再生部１０の一端に一対に突出して所定の駆動源（図示せず）により回動するように軸支されている。また、アウターシャーシ２０には、周囲四隅に弾性を有したコイルバネ２４ａと、更なる弾性を有したオイルダンパ２４ｂと、これらを固定する固定部材２４ｃとからなる弾性体２４を配置して記録再生部１０との間に介在させることで浮遊状態に支持している。この記録再生部１０は、コイルバネ２４ａ、オイルダンパ２４ｂなどの弾性体２４を介在させて浮遊状態に支持することに限定されるものではなく、例えば、ゴムダンパ、板バネなどの弾性体を介在させて浮遊状態に支持することも可能である。そして、記録再生部１０には、ＣＤ１を挿入して載置した上部を抑える上シャーシ１４と、この上シャーシ１４の両側を摺動可能に支持して上下動させるプレート１６とを備えている。
【００１２】
また、本実施の形態では、図５に示した従来技術とは異なり、アウターシャーシ２０の一側面にロック部材１２を係合する穴を設けるのではなく、弾性を備えた板バネを一対に対向（図２参照）させて配置した係合部２２を備えている。この係合部２２は、図２に示すように、所定の隙間を有して対向する一対の板バネからなり両端で重なり合うように近接する挟持部２２ａを備え、前述したロック部材１２を対向する隙間から両端の挟持部２２ａに回動させて挟持することで弾性をもたせた状態にロックする構造を備えている。また、係合部２２は、図３に示すように、板バネが重なり合うように近接した挟持部２２ａの間にアウターシャーシ２０から延在した曲げ部２０ａ（図２参照）を更に介在させて、この曲げ部２０ａに当接する板バネの付勢力または材質を変えることで、ロック部材１２を挟持する挟持力を調整できるように設けている。ここで、係合部２２は、曲げ部２０ａに当接する板バネの付勢力を約１５０〜２５０ｇｆに設定している。通常、この付勢力は、初期荷重を振動時に加わる荷重以上に設定しており、且つ、落下時には係合部２２が撓んでロック部材１２を保護したので落下時に加わる荷重より小さく設定することが望ましく、例えば、２００ｇｆ程度に設定することが好ましい。
【００１３】
従って、本実施の形態では、アウターシャーシ２０に弾性を有した係合部２２を備えて記録媒体（ＣＤ１）の挿入または排出時に、ロック部材１２と係合部２２とを弾性をもたせた状態に係合させて記録再生部１０をロックするように設けたものである。
【００１４】
このように形成した本発明による記録再生装置の一実施形態は、ＣＤ１のデータ処理を行う場合、図４（ａ）に示すように、係合部２２の一対に対向する板バネ中央部の間隔内にロック部材１２が移動するように回動させる。これによりロック部材１２は、係合部２２内での上下動が可能になるとともに、記録再生部１０を弾性体２４により浮遊状態にすることができる。従って、記録再生部１０は、ＣＤ１のデータ処理時において、走行する車両の車室内で外部から加わる振動などの衝撃を吸収して良好なデータ処理が可能になる。
【００１５】
一方、本実施の形態は、ＣＤ１のデータ処理時以外で挿入または排出する際、図４（ｂ）に示すように、ロック部材１２を外側に回動させて係合部２２の挟持部２２ａに係合するように移動させる。これによりロック部材１２は、係合部２２の挟持部２２ａに弾性をもたせた状態で挟持され、記録再生部１０の弾性体２４による浮遊状態も弾性を備えた状態にロックする。従って、記録再生部１０は、アウターシャーシ２０に対して固定した状態になり、例えば、ＣＤ１排出・挿入時の軌道安定または出荷搬送時の固定を確実に行うことができる。さらに、記録再生部１０は、係合部２２によりアウターシャーシ２０に対して弾性を備えた状態でロックするため、例えば、製造工程での搬送時、落下試験時などに加わる大きな荷重も係合部２２が撓んで充分に吸収することができる。
【００１６】
このように、本発明による記録再生装置の一実施形態によると、図４（ｂ）に示した係合部２２に記録再生部１０のロック部材１２を弾性をもたせた状態にロックするため、前述した製造工程での搬送時、落下試験時などに加わる大きな荷重も充分に吸収してロック部材１２の破損、変形を防止でき、このロック部材１２の充分な強度が不要になり部品コストを低減できる。
また、本発明による記録再生装置の一実施形態によると、前述したロック部材１２の強度を充分にとる必要がないため、ロック部材１２を自由な材質及び形状で形成でき、電子機器筐体内の狭いスペースでも充分に配置でき、筐体全体の省スペース化（薄型化、小型化）を実現することができる。
【００１７】
以上、本発明による記録再生装置の実施の形態を詳細に説明したが、本発明は前述した実施の形態に限定されるものではなく、その要旨を逸脱しない範囲で変更可能である。
例えば、本発明による記録再生装置をＣＤのデータ処理を行う車載用の装置に採用した実施形態を説明したが、これに限定されるものではなく、ＭＤ、ＤＶＤなどの光ディスクによる光媒体をデータ処理する電子機器にも採用でき、且つ、車載用以外の携帯用の電子機器にも適用可能である。
また、ロック部材を記録再生部に設けて係合部をアウターシャーシに配置した記録再生装置の実施形態を説明したが、これに限定されるものではなく、例えば、ロック部材と係合部との配置を逆に設けることも可能である。
また、係合部を板バネで形成した記録再生装置の実施形態を説明したが、これに限定されるものではなく、例えば、板バネでなくてもバネ性や弾性のある材質（線バネ、ゴム等）であれば良い。
さらに、係合部に弾性をもたせた記録再生装置の実施形態を説明したが、これに限定されるものではなく、例えば、ロック部材が弾性を有する材質からなり係合部に係合して弾性をもたせた状態にロックする構造でもよい。
【００１８】
【発明の効果】
このように本発明による記録再生装置によれば、記録再生部の浮動状態を低コストで低い強度のロック部材でも確実にロックでき、装置全体の省スペース化（薄型化、小型化）が可能になる。
【図面の簡単な説明】
【図１】本発明による記録再生装置の一実施形態を示す構成図。
【図２】図１に示した矢印Ａ方向から見た状態を示す図。
【図３】図２に示したＢ部を詳細に示す拡大図。
【図４】図１に示したロック部材のロック動作を示す図。
【図５】従来の記録再生装置の一実施形態を示す構成図。
【図６】図５に示したロック部材のロック動作を示す図。
【符号の説明】
１    ＣＤ
１０    記録再生部
１２    ロック部材
１４    上シャーシ
１６    プレート
２０    アウターシャーシ
２０ａ  曲げ部
２２    係合部
２２ａ  挟持部
２４    弾性体
２４ａ  コイルバネ
２４ｂ  オイルダンパ
２４ｃ  固定部材
【図１】
0004021221.tif 000002
【図２】
0004021221.tif 000003
【図３】
0004021221.tif 000004
【図４】
0004021221.tif 000005
【図５】
0004021221.tif 000006
【図６】
0004021221.tif 000007